(57)【要約】  着用者の胴周りを被包する前被包部及び後被包部と、吸収体が配置され、着用者の股下を被包する股下被包部とを有し、少なくとも後被包部の一部に伸縮性不織布からなる伸縮部８０が形成され、伸縮部８０は胴周り方向に収縮するように形成されており、後被包部の肌当接面の一部に撥水性不織布からなる通気路形成シート８２が配置され、通気路形成シート８２は、伸縮部８０に積層され、通気路形成シート８２と伸縮部８０とが、胴周り方向に向かって間欠的に形成された接合部８４により接合されている使い捨ておむつ。
2011122604.tif 000002
【特許請求の範囲】
【請求項１】
着用者の胴周りを被包する前被包部及び後被包部と、吸収体が配置され、着用者の股下を被包する股下被包部とを有し、
少なくとも前記後被包部の一部に伸縮性不織布からなる伸縮部が形成され、前記伸縮部は胴周り方向に収縮するように形成されており、
前記後被包部の肌当接面の一部に撥水性不織布からなる通気路形成シートが配置され、
前記通気路形成シートは、前記伸縮部に積層され、
前記通気路形成シートと前記伸縮部とが、前記胴周り方向に向かって間欠的に形成された接合部により接合されている使い捨ておむつ。
【請求項２】
少なくとも前記前被包部の一部に伸縮性不織布からなる伸縮部が形成され、前記伸縮部は胴周り方向に収縮するように形成されており、
前記前被包部の肌当接面の一部に撥水性不織布からなる通気路形成シートが配置され、
前記通気路形成シートは、前記伸縮部に積層され、
前記通気路形成シートと前記伸縮部とが、前記胴周り方向に向かって間欠的に形成された接合部により接合されている請求項１に記載の使い捨ておむつ。
【請求項３】
前記伸縮部は、複数の不織布シートの層間に伸張状態の伸縮材が配置されるとともに、前記伸縮材が前記複数の不織布シートに対して固着され、前記複数の不織布シート及び前記伸縮材が一体的に挙動するものである請求項１又は２に記載の使い捨ておむつ。
【請求項４】
前記吸収体は、前記股下被包部から前記前被包部及び前記後被包部にかけて連続的に配置されており、
前記前被包部及び前記後被包部の少なくとも一方における、前記吸収体の端縁及び前記端縁の延長線よりウエスト端縁側の部分であるウエスト被包部に、前記伸縮部が形成され、
前記通気路形成シートが前記伸縮部に積層され、
前記通気路形成シートと前記伸縮部とが、前記胴周り方向に向かって間欠的に形成された接合部により接合されている請求項１〜３のいずれか一項に記載の使い捨ておむつ。
【請求項５】
前記吸収体は、前記股下被包部から前記前被包部及び前記後被包部にかけて連続的に配置されており、
前記前被包部及び前記後被包部の少なくとも一方における、前記吸収体の端縁及び前記端縁の延長線より股下側の部分であるタミー被包部のうち前記吸収体の側縁より幅方向外側の部分に、前記伸縮部が形成され、
前記通気路形成シートが前記伸縮部に積層され、
前記通気路形成シートと前記伸縮部とが、前記胴周り方向に向かって間欠的に形成された接合部により接合されている請求項１〜４のいずれか一項に記載の使い捨ておむつ。
【請求項６】
前記通気路形成シートと前記伸縮部とが、前記胴周り方向に向かって間欠的に、かつ、前記使い捨ておむつの前後方向に向かって連続的に形成された接合部により接合されている請求項１〜５のいずれか一項に記載の使い捨ておむつ。
【請求項７】
前記通気路形成シートと前記伸縮部とが、前記胴周り方向と前記使い捨ておむつの前後方向の両方向に向かって間欠的に形成された接合部により接合されている請求項１〜５のいずれか一項に記載の使い捨ておむつ。
【請求項８】
前記通気路形成シートが、前記前被包部及び前記後被包部の少なくとも一方の肌当接面に配置されるとともにウエスト端縁で折り返され、前記前被包部及び前記後被包部の少なくとも一方の最外面を構成するシート材の一部を被覆するように配置されている請求項１〜７のいずれか一項に記載の使い捨ておむつ。
【請求項９】
前記通気路形成シートが、前記前被包部及び前記後被包部の少なくとも一方を構成するシート材の折り返し部により形成されている請求項１〜８のいずれか一項に記載の使い捨ておむつ。
【発明の詳細な説明】
【技術分野】
【０００１】
本発明は、使い捨ておむつに関するものである。
【背景技術】
【０００２】
使い捨ておむつは、着用者の腰周りを被包するように装着される吸収性物品であり、排泄物を吸収・保持させるための吸収体を備えている。【０００３】
従って、おむつの着用時には、吸収体に吸収された尿や汗、体液等から発生する湿気がおむつの内部空間（着用者の肌とおむつの肌当接面との間に形成される空間）に滞留し易い。この湿気は、かぶれ等のスキントラブルの原因となり、蒸れ、べたつき等の不快感を生じさせるため好ましくない。【０００４】
そこで、おむつの内部空間に滞留する湿気をおむつ外部に排出させるために、おむつの通気性、特にウエスト周りにおける通気性を向上させるための種々の提案がなされている。【０００５】
例えば、おむつの前後腰周り域のエンドフラップに腰周り方向へ弾性収縮する弾性部材を取り付け、前記エンドフラップの内面に、おむつの腰周り方向に向かって間欠的に通気性吸汗シートを接合したおむつが提案されている（特許文献１参照）。【０００６】
また、外層シート、内層シート及び複数本の弾性部材により吸収性物品の外包材が形成され、前記外層シート及び前記内層シートが、腰周り方向及びその直交方向に向かって間欠的に形成した接合部によって相互に接合される一方、前記弾性部材が前記接合部を通らないように配されたパンツ型吸収性物品も提案されている（特許文献２〜６参照）。【０００７】
このパンツ型吸収性物品では、前記弾性部材が前記外層シート及び前記内層シートに固定されないように構成されている。そして、ウエスト部の全周に、ウエスト部の外端部から内端部に亘って延びる複数本の襞が形成されるものである。
【先行技術文献】
【特許文献】
【０００８】
【特許文献１】特許第３８２００４３号公報
【特許文献２】特開２００８−１３６７９３号公報
【特許文献３】特開２００８−１３６７９４号公報
【特許文献４】特開２００８−１４２３１６号公報
【特許文献５】特開２００８−１４２３４１号公報
【特許文献６】特開２００８−１４２３４２号公報
【発明の概要】
【０００９】
特許文献１に記載のおむつは、着用者の肌と接触する通気性吸汗シートによって汗を吸収させるとともに、通気性吸汗シートとエンドフラップとの間に空間を形成させるものである。そして、前記空間を利用して、前記通気性吸汗シートと前記エンドフラップとの積層方向の通気性を向上させることを企図していると考えられる。
【００１０】
しかしながら、前記の構造では、前記通気性吸汗シートと前記エンドフラップとの積層方向に通気させる構造であるため、通気性の面で十分ではないという課題があった。即ち、ウエスト周りにおける着用者の肌とおむつの肌当接面との隙間から煙突効果を利用して通気させる方法と比較して通気性の効果が十分でないという点が問題であった。
【００１１】
特許文献２〜６に記載のパンツ型吸収性物品は、弾性部材により外層シート及び内層シートをウエスト周方向に収縮させて複数本の襞を形成させるものである。そして、前記襞により吸収性物品の内部空間と外部空間とを連通させ、通気性を向上させることを企図していると考えられる。従って、ウエスト周りにおける着用者の肌とおむつの肌当接面との隙間から煙突効果を利用して通気させることができ、特許文献１に記載のおむつと比較して高い通気性を期待することができる。
【００１２】
しかしながら、前記の構造は外装シートと内層シートの間欠的な接合部を通らないように弾性部材が配された特殊な構造である。この構造では弾性部材は外装シート及び内層シートの何れにも拘束されず、自由に伸張することができる。例えば製造時に３００％の伸張率で弾性部材を配置しても、使用時において局所的にはその３００％の伸張率を超えて弾性部材が伸張する場合が起こり得る。即ち、弾性部材が理想的な伸張率を超えて過度に伸張する場合がある。従って、硬く張り詰めた弾性部材が内層シートを介して肌に当接し、痛みや不快感を生ずるおそれがあるという課題があった。更に、前記の特殊な構造を得るために、製造に際して精密な接合技術が必要となり、製造が困難であるという課題もあった。
【００１３】
本発明は、前記のような従来技術の有する課題に鑑みてなされたものであって、通気性が良好で、容易に製造することができ、快適な着用感を得られる使い捨ておむつを提供するものである。
【００１４】
本発明者は、前記のような従来技術の課題を解決するために鋭意検討した結果、１）少なくともおむつの後被包部に、胴周り方向に収縮するように伸縮部を形成すること、２）少なくとも後被包部の肌当接面に撥水性不織布からなる通気路形成シートを配置すること、３）通気路形成シートを伸縮部に積層し、通気路形成シートと伸縮部を胴周り方向に向かって間欠的に接合することによって、おむつの胴周りに通気性を向上させる通気路構造が形成され、前記課題が解決されることに想到して、本発明を完成させた。具体的には、本発明により、以下の使い捨ておむつが提供される。
【００１５】
［１］着用者の胴周りを被包する前被包部及び後被包部と、吸収体が配置され、着用者の股下を被包する股下被包部とを有し、少なくとも前記後被包部の一部に伸縮性不織布からなる伸縮部が形成され、前記伸縮部は胴周り方向に収縮するように形成されており、前記後被包部の肌当接面の一部に撥水性不織布からなる通気路形成シートが配置され、前記通気路形成シートは、前記伸縮部に積層され、前記通気路形成シートと前記伸縮部とが、前記胴周り方向に向かって間欠的に形成された接合部により接合されている使い捨ておむつ。
【００１６】
［２］少なくとも前記前被包部の一部に伸縮性不織布からなる伸縮部が形成され、前記伸縮部は胴周り方向に収縮するように形成されており、前記前被包部の肌当接面の一部に撥水性不織布からなる通気路形成シートが配置され、前記通気路形成シートは、前記伸縮部に積層され、前記通気路形成シートと前記伸縮部とが、前記胴周り方向に向かって間欠的に形成された接合部により接合されている前記［１］に記載の使い捨ておむつ。
【００１７】
［３］前記伸縮部は、複数の不織布シートの層間に伸張状態の伸縮材が配置されるとともに、前記伸縮材が前記複数の不織布シートに対して固着され、前記複数の不織布シート及び前記伸縮材が一体的に挙動するものである前記［１］又は［２］に記載の使い捨ておむつ。
【００１８】
［４］前記吸収体は、前記股下被包部から前記前被包部及び前記後被包部にかけて連続的に配置されており、前記前被包部及び前記後被包部の少なくとも一方における、前記吸収体の端縁及び前記端縁の延長線よりウエスト端縁側の部分であるウエスト被包部に、前記伸縮部が形成され、前記通気路形成シートが前記伸縮部に積層され、前記通気路形成シートと前記伸縮部とが、前記胴周り方向に向かって間欠的に形成された接合部により接合されている前記［１］〜［３］のいずれか一に記載の使い捨ておむつ。
【００１９】
［５］前記吸収体は、前記股下被包部から前記前被包部及び前記後被包部にかけて連続的に配置されており、前記前被包部及び前記後被包部の少なくとも一方における、前記吸収体の端縁及び前記端縁の延長線より股下側の部分であるタミー被包部のうち前記吸収体の側縁より幅方向外側の部分に、前記伸縮部が形成され、前記通気路形成シートが前記伸縮部に積層され、前記通気路形成シートと前記伸縮部とが、前記胴周り方向に向かって間欠的に形成された接合部により接合されている前記［１］〜［４］のいずれか一に記載の使い捨ておむつ。
【００２０】
［６］前記通気路形成シートと前記伸縮部とが、前記胴周り方向に向かって間欠的に、かつ、前記使い捨ておむつの前後方向に向かって連続的に形成された接合部により接合されている前記［１］〜［５］のいずれか一に記載の使い捨ておむつ。
【００２１】
［７］前記通気路形成シートと前記伸縮部とが、前記胴周り方向と前記使い捨ておむつの前後方向の両方向に向かって間欠的に形成された接合部により接合されている前記［１］〜［５］のいずれか一に記載の使い捨ておむつ。
【００２２】
［８］前記通気路形成シートが、前記前被包部及び前記後被包部の少なくとも一方の肌当接面に配置されるとともにウエスト端縁で折り返され、前記前被包部及び前記後被包部の少なくとも一方の最外面を構成するシート材の一部を被覆するように配置されている前記［１］〜［７］のいずれか一に記載の使い捨ておむつ。
【００２３】
［９］前記通気路形成シートが、前記前被包部及び前記後被包部の少なくとも一方を構成するシート材の折り返し部により形成されている前記［１］〜［８］のいずれか一に記載の使い捨ておむつ。
【００２４】
本発明の使い捨ておむつは、通気性が良好で、容易に製造することができ、快適な着用感を得られる。
【図面の簡単な説明】
【００２５】
【図１Ａ】本発明の使い捨ておむつの一の実施形態を模式的に示す正面図である。
【図１Ｂ】図１Ａに示す使い捨ておむつを展開し、トップシート方向から見た状態を模式的に示す概略平面図である。
【図１Ｃ】図１Ｂに示す使い捨ておむつのＡ−Ａ’切断端面を模式的に示す概略端面図である。
【図１Ｄ】図１Ｂに示す使い捨ておむつのＢ−Ｂ’切断端面を模式的に示す概略端面図である。
【図１Ｅ】図１Ａに示す使い捨ておむつを展開し、アウターシート方向から見た状態を模式的に示す概略平面図である。
【図１Ｆ】図１Ａに示す使い捨ておむつの伸縮部近傍を模式的に示す斜視図である。
【図１Ｇ】図１Ｆに示す使い捨ておむつのＡ−Ａ’切断端面を模式的に示す概略端面図である。
【図１Ｈ】図１Ａに示す使い捨ておむつの接合部の形態を拡大して模式的に示す概略平面図であり、折り返し部を展開した状態を示すものである。
【図２Ａ】図１Ａに示す使い捨ておむつの製造工程を模式的に示す概略工程図であり、インナーシート方向から見た各工程を示すものである。
【図２Ｂ】図２Ａに示す各工程において、図２Ａに示す構造単位の幅方向中央で切断した切断端面を模式的に示す概略端面図である。
【図３Ａ】使い捨ておむつの接合部の別の形態を拡大して模式的に示す概略平面図であり、折り返し部を展開した状態を示すものである。
【図３Ｂ】使い捨ておむつの接合部の更に別の形態を拡大して模式的に示す概略平面図であり、折り返し部を展開した状態を示すものである。
【図３Ｃ】使い捨ておむつの接合部の更にまた別の形態を拡大して模式的に示す概略平面図であり、折り返し部を展開した状態を示すものである。
【図４Ａ】使い捨ておむつの製造工程を模式的に示す概略工程図であり、インナーシート方向から見た各工程を示すものである。
【図４Ｂ】図４Ａに示す各工程において、図４Ａに示す構造単位の幅方向中央で切断した切断端面を模式的に示す概略端面図である。
【図５Ａ】使い捨ておむつの製造工程を模式的に示す概略工程図であり、インナーシート方向から見た各工程を示すものである。
【図５Ｂ】図５Ａに示す各工程において、図５Ａに示す構造単位の幅方向中央で切断した切断端面を模式的に示す概略端面図である。
【図６Ａ】本発明の使い捨ておむつの一の実施形態を模式的に示す斜視図である。
【図６Ｂ】図６Ａに示す使い捨ておむつを展開し、トップシート方向から見た状態を模式的に示す概略平面図である。
【図６Ｃ】図６Ｂに示す使い捨ておむつのＡ−Ａ’切断端面を模式的に示す概略端面図である。
【図６Ｄ】図６Ｂに示す使い捨ておむつのＢ−Ｂ’切断端面を模式的に示す概略端面図である。
【図６Ｅ】図６Ａに示す使い捨ておむつを展開し、アウターシート方向から見た状態を模式的に示す概略平面図である。
【図７Ａ】本発明の使い捨ておむつの別の実施形態を模式的に示す概略平面図である。
【図７Ｂ】図７Ａに示す使い捨ておむつのＡ−Ａ’切断端面を模式的に示す概略端面図である。
【図７Ｃ】図７Ａに示す使い捨ておむつのＢ−Ｂ’切断端面を模式的に示す概略端面図である。
【図７Ｄ】図７Ａに示す使い捨ておむつのＣ−Ｃ’切断端面を模式的に示す概略端面図である。
【図７Ｅ】図７Ａに示す使い捨ておむつの概略裏面図である。
【発明を実施するための形態】
【００２６】
以下、本発明の使い捨ておむつを実施するための形態について具体的に説明する。
【００２７】
［１］本発明の使い捨ておむつの基本的な構成：
本発明の使い捨ておむつは、図１Ａ、図１Ｄ及び図１Ｅに示す使い捨ておむつ１のように、着用者の胴周りを被包する前被包部２及び後被包部６と、吸収体２２が配置され、着用者の股下を被包する股下被包部４とを有するものである。
【００２８】
［１−１］使い捨ておむつ：
「使い捨ておむつ」には、パンツ型、テープ型等の各種形態が含まれる。但し、本発明はその特定事項を備える使い捨ておむつを広く包含し、以下に示すパンツ型、テープ型等に限定されるものではない。
【００２９】
［１−２］前被包部及び後被包部：
「前被包部」及び「後被包部」は、使い捨ておむつのうち、着用者の胴周りを被包する部分である。
【００３０】
本明細書においては、吸収体が、股下被包部から前被包部及び後被包部にかけて連続的に配置されている場合において、前被包部及び後被包部における、吸収体の端縁及び前記端縁の延長線よりウエスト端縁側の部分を「ウエスト被包部」、前記吸収体の端縁及び前記端縁の延長線より股下側の部分を「タミー被包部」と称することにする。
【００３１】
「胴周りを被包する」とは、使い捨ておむつの一部によって、着用者の胴を取り囲む筒状構造が形成された形態又は前記筒状構造が形成され得る形態であることを意味する。「筒状構造が形成された形態」のおむつとしては、パンツ型の使い捨ておむつを挙げることができる。「パンツ型」とは、図１Ａに示す使い捨ておむつ１のように、予め一つのウエスト開口部１０及び左右一対のレッグ開口部１２が形成されたパンツ型を呈する使い捨ておむつを指す。
【００３２】
図１Ａ、図１Ｂ及び図１Ｅに示す使い捨ておむつ１は、前外装体６２と後外装体６５の両側縁が相互に接合されて、着用者の胴を取り囲む筒状構造が形成された形態である。このような形態においては、外装体１６のうち接合部７，８の間の領域によって前記筒状構造が形成される。従って、前記領域を前被包部２又は後被包部６と称することにする。
【００３３】
図１Ａ、図１Ｂ、図１Ｄ及び図１Ｅに示す使い捨ておむつ１は、外装体１６が前外装体６２と後外装体６５から構成されている。但し、予め一つのウエスト開口部及び左右一対のレッグ開口部が形成されていてもよい。即ち、外装体が前後に分離されず、一体的に構成されているものも「パンツ型」の一形態である。例えば、図６Ｂに示す使い捨ておむつ２０１は、一体的に構成された外装体２１６の側縁２０２ａ，２０２ｂと側縁２０６ａ，２０６ｂが相互に接合されて、着用者の胴を取り囲む筒状構造が形成された形態である。このような形態においては、図６Ａに示すように外装体２１６のうち接合部２０７，２０８の間の領域によって前記筒状構造が形成される。従って、前記領域を前被包部２０２又は後被包部２０６と称することにする。
【００３４】
「筒状構造が形成され得る形態」のおむつとしては、疑似パンツ型又はテープ型の使い捨ておむつを挙げることができる。
【００３５】
「疑似パンツ型」とは、図１Ａに示す使い捨ておむつ１と同様の形態において、接合部７，８に代えてファスナー（メカニカルファスナー等）を付設した形態の使い捨ておむつを指す。このような「疑似パンツ型」では、ファスナーの係合力によって、外装体のうち着用者の前側を覆う部分と後側を覆う部分とをこれらの両側縁で着脱可能に係合させることができる。従って、着用者の胴を取り囲む筒状構造を形成することができる。
【００３６】
前記のような形態のおむつについては、外装体のうち両側縁のファスナーの間の領域によって前記筒状構造が形成される。従って、前記領域を前被包部又は後被包部と称することにする。
【００３７】
「テープ型」は、図７Ａ及び図７Ｅに示す使い捨ておむつ３０１のように、着用者の後側を被包する部分の左右の各側縁３７４ａ，３７４ｂから延出するように止着テープ３１１が付設された使い捨ておむつを指す。「テープ型」は、図７Ｅに示すように、止着テープ３１１を構成する基材３５０にファスニング部材（図示の例ではメカニカルファスナーのフック材３４８）を有している。従って、着用者の前側を被包する部分のファスニング部材（図示の例ではフロントパッチ３１３を形成するメカニカルファスナーのループ材３４６）に止め付けることで、着用者の胴を取り囲む筒状構造を形成することができる。
【００３８】
「テープ型」は「パンツ型」のように予め筒状構造が形成されているわけではない。従って、「テープ型」における「前被包部」、「後被包部」は、吸収体及び前記吸収体を被服するシート材（トップシート、バックシート、サイドシート等）により構成されるおむつ本体の形状に応じて以下のように定義することとする。
【００３９】
おむつ本体が砂時計型（前後のウエスト端縁が幅広く、股下側が括れて幅狭くなっている形状。図６Ｂに示す外装体２１６と同様の形状）に形成されている場合には、前記括れのおむつ前側の起点同士を結ぶ直線と、おむつ前側のウエスト端縁との間の領域を「前被包部」、前記括れのおむつ後側の起点同士を結ぶ直線と、おむつ後側のウエスト端縁との間の領域を「後被包部」と称することにする。
【００４０】
図７Ａに示す使い捨ておむつ３０１のように、おむつ本体３７０のウエスト端縁３７０ｃ側に、おむつ本体３７０とは別体の後サイドフラップ３７４が付設されるとともに、ウエスト端縁３７０ｄ側にも、おむつ本体３７０とは別体の前サイドフラップ３７２が付設されている場合には、前サイドフラップ３７２のおむつ股下側の角部同士を結ぶ直線と、ウエスト端縁３７０ｄとの間の領域を「前被包部」、後サイドフラップ３７４のおむつ股下側の起点同士を結ぶ直線と、ウエスト端縁３７０ｃとの間の領域を「後被包部」と称することにする。
【００４１】
なお、おむつ本体に、おむつ本体とは別体の後サイドフラップのみが付設され、前サイドフラップが付設されていない場合には、後サイドフラップのおむつ股下側の起点同士を結ぶ直線と、ウエスト端縁との間の領域を「後被包部」、おむつ本体をウエスト端縁とウエスト端縁とが重なるように折り畳んだ際に「後被包部」と重畳する領域を「前被包部」と称することにする。
【００４２】
［１−３］股下被包部：
「股下被包部」は、使い捨ておむつのうち、着用者の股下を被包する部分を指す。換言すれば、前被包部と後被包部の間の部分である。
【００４３】
股下被包部には、排泄物を吸収・保持させるための吸収体が配置される。吸収体の構成については特に限定されず、従来公知の吸収性物品に用いられる吸収体を用いることができる。吸収体の具体的な構成については後述する。
【００４４】
図１Ｄに示す使い捨ておむつ１においては、前外装体６２と後外装体６５との間に架け渡されるように吸収性本体１４が配置され、接合されている（接合部２８）。この形態においては、図１Ａ、図１Ｂ、図１Ｄ及び図１Ｅに示すように前外装体６２によって前被包部２が、後外装体６５の一部によって後被包部６が、後外装体６５の一部と吸収性本体１４の一部によって股下被包部４が形成されている。吸収体２２は吸収性本体１４の構成部材として配置されている。
【００４５】
［２］本発明の使い捨ておむつの特徴的な構成：
本発明の使い捨ておむつは、図１Ｄに示す使い捨ておむつ１のように、１）少なくとも後被包部６の一部に伸縮性不織布からなる伸縮部８０が形成され、伸縮部８０は胴周り方向に収縮するように形成されており、２）後被包部６の肌当接面の一部に撥水性不織布からなる通気路形成シート８２が配置され、３）通気路形成シート８２は、伸縮部８０に積層され、通気路形成シート８２と伸縮部８０とが、胴周り方向に向かって間欠的に形成された接合部８４により接合されているものである。
【００４６】
このような使い捨ておむつは、図１Ｆ及び図１Ｇに示すように、伸縮部８０の収縮によって、通気路形成シート８２の接合部８４間の距離も狭められる。これにより、通気路形成シート８２が撓んで波型に変形され、通気路形成シート８２と伸縮部のうち接合部８４以外の部分（非接合部）が離間し、通気管、クッションとして機能する通気路８６が形成される。
【００４７】
また、着用者が立位から座位をとった場合には、おむつは外側から圧縮されて、おむつの内部空間の湿気が通気路８６を通過して外部空間に排出される。更に、着用者が歩行をすると、脚の動きでおむつの股下被包部が変形するために、その変形によっておむつの内部空間の湿気が外部空間に排出され、これと交換に外部空間の空気がおむつの内部空間に流入する。従って、おむつの内部空間を快適な環境にすることができる。
【００４８】
また、前記通気路は、エアクッションのように緩衝機能を発揮する。従って、単に通気性の向上を図った特許文献１に記載のおむつとは異なり、肌当たりが柔らかく、おむつのウエスト周りの柔軟性を向上させることができる。即ち、着用者は快適な着用感を得ることができる。
【００４９】
［２−１］伸縮部：
伸縮部は、伸縮性不織布からなる。「伸縮性不織布」とは、不織布自体が伸縮性を有するもの、又は基材となる不織布に伸縮材（ゴムや熱可塑性エラストマー等の弾性材）を接合等することによって、不織布に伸縮性を付与したものを意味する。
【００５０】
例えば、市販のエラスチック不織布、エラストマースパンボンド不織布等を用いることができる。具体的には、以下全て商品名で、ストラフレックス（出光ユニテック社製）、エスパンシオーネ（ＫＢセーレン社製）等を好適に用いることができる。これらのエラスチック不織布、エラストマースパンボンド不織布は、不織布自体が伸縮性を有するものである。
【００５１】
但し、伸縮性不織布として必ずしも前記のような不織布自体が伸縮性を有するものを用いる必要はない。不織布と伸縮材を適宜組み合わせ接合等することによって構成することもできる。即ち、伸縮性不織布が、複数の不織布シートの層間に伸張状態の伸縮材が配置されるとともに、伸縮材が複数の不織布シートに対して固着され、複数の不織布シート及び伸縮材が一体的に挙動するものであってもよい。
【００５２】
このような不織布と伸縮材が一体的に挙動する伸縮性不織布を用いることにより、特許文献２〜６のパンツ型吸収性物品とは異なり、伸縮部がシート幅以上に伸張することがなくなる。例えば図７Ｄに示す使い捨ておむつ３０１は、おむつ本体３７０のウエスト端縁３７０ｃ近傍及びウエスト端縁３７０ｄ近傍に、複数の不織布シート３９７，３９８の層間に伸張状態の伸縮材３９９が配置されるとともに、伸縮材３９９が複数の不織布シート３９７，３９８に対して固着され、複数の不織布シート３９７，３９８及び伸縮材３９９が一体的に挙動する伸縮性不織布３９６を配したものである。
【００５３】
一般に、使い捨ておむつは、不織布の層間に線状の伸縮材を配した構造を有している。従って、図７Ａ及び図７Ｄに示す使い捨ておむつ３０１のように、必ずしも別途、伸縮性不織布３９６を配する必要はなく、従来の使い捨ておむつの構造の一部を伸縮性不織布として利用して伸縮部を構成してもよい。
【００５４】
例えば図１Ｄに示す使い捨ておむつ１は、後外装体６５を構成する押さえシート６８とアウターシート６６との層間に、伸張状態のウエスト伸縮材４２が配置されるとともに、ウエスト伸縮材４２が押さえシート６８及びアウターシート６６に対して固着され、押さえシート６８、アウターシート６６、ウエスト伸縮材４２が一体的に挙動するものを伸縮性不織布として利用している。即ち、ウエスト伸縮材４２、タミー伸縮材４４を伸縮部（より具体的には伸縮性不織布）を構成する伸縮材として利用している。
【００５５】
また、図７Ｃに示す使い捨ておむつ３０１は、後サイドフラップ３７４を構成する伸縮性不織布３９５を伸縮部として利用している。伸縮性不織布３９５は不織布シート３９３，３９４の層間に伸張状態の伸縮材３９１を挟み込んで固定したものである。即ち、伸縮材３９１を伸縮部を構成する伸縮材として利用している。
【００５６】
伸縮部は胴周り方向に収縮するように形成されている。「胴周り方向に収縮するように形成」とは、伸縮性不織布が胴周り方向に沿って伸張された際に胴周り方向に沿って収縮力が作用するように、伸縮性不織布が配置されていることを意味する。最も簡単な構造としては、図１Ａ、図１Ｄ及び図１Ｅに示す使い捨ておむつ１のように、胴周り方向に沿って線状の伸縮材（この例ではウエスト伸縮材４２）を配置する構成を挙げることができる。
【００５７】
但し、伸縮性不織布が胴周り方向に収縮する限り、図１Ａ、図１Ｄ及び図１Ｅに示す構成には限定されない。例えば胴周り方向に対して上に凸ないし下に凸のカーブを描くように伸縮材が配置されていてもよい。
【００５８】
伸縮部が胴周り方向に収縮するものである限り、その形成位置は特に限定されない。例えば、図１Ｄに示すように、前被包部２及び後被包部６の少なくとも一方におけるウエスト被包部に伸縮部８０が形成されていることが好ましい。この形態においては、通気路形成シート８２がウエスト被包部の伸縮部８０に積層され、通気路形成シート８２とウエスト被包部の伸縮部８０とが、胴周り方向に向かって間欠的に形成された接合部８４により接合されていることが好ましい。このような構造は、おむつのウエスト被包部に通気路構造を形成することができる。従って、おむつのウエスト被包部から湿気を逃がすことができ、おむつのウエスト被包部にクッション性を付与することができる点で好ましい。
【００５９】
また、前被包部及び後被包部の少なくとも一方における、吸収体の端縁及び前記端縁の延長線より股下側の部分であるタミー被包部のうち吸収体の側縁より幅方向外側の部分に伸縮部が形成されていることも好ましい。この形態においては、通気路形成シートがタミー被包部の伸縮部に積層され、通気路形成シートとタミー被包部の伸縮部とが、胴周り方向に向かって間欠的に形成された接合部により接合されていることが好ましい。このような構造は、おむつのタミー被包部に通気路構造を形成することができる。この形態はおむつのタミー被包部にクッション性を付与することができる点で好ましい。また、前記のようにウエスト被包部に通気路構造が形成される場合には、ウエスト被包部の通気路とタミー被包部の通気路が相俟って、おむつの内部空間から湿気を逃がす効果が大きくなる点で好ましい。
【００６０】
なお、「吸収体側縁より幅方向内側の部分」には比較的剛性の高い吸収体が配置されている。従って、図１Ａ及び図１Ｅに示すように、前記部分にはタミー伸縮材４４を配置しないことが多い。このような理由から、伸縮部は「タミー被包部のうち吸収体の側縁より幅方向外側の部分」に形成することが好ましい。
【００６１】
［２−２］通気路形成シート：
本発明の使い捨ておむつは、図１Ｂ及び図１Ｄに示す使い捨ておむつ１のように後被包部６の肌当接面の一部に撥水性不織布からなる通気路形成シート８２が配置される。この通気路形成シート８２は、おむつの胴周りに通気管、クッションとして機能する通気路を形成するシートである。
【００６２】
「肌当接面」とは、使い捨ておむつの着用時に、着用者の肌に直接当たる面、即ち使い捨ておむつの最内面を意味する。「撥水性不織布」としては、後述するサイドシートと同様の素材を用いることができる。撥水性不織布を用いることで、通気路形成シートを伝った排泄物の漏れが生じ難くなる。
【００６３】
「一部」とは、後被包部の肌当接面の全部に通気路形成シートが配置されていなくてもよいことを意味する。通気路形成シートを配置する部位については特に限定されない。但し、図１Ｂに示すように、少なくとも後被包部６のウエスト被包部に通気路形成シート８２を配置することが好ましい。また、図７Ａに示すように、おむつ本体３７０のウエスト端縁３７０ｃの幅の６０％以上をカバーするように通気路形成シート（この例ではトップシート３１８、不織布シート３３２等のうち伸縮性不織布３９６が重畳される部分）を配置することが好ましい。図１Ｂに示すように、後被包部６のウエスト端縁６ｃ側の幅方向全域をカバーするように配置することが更に好ましい。
【００６４】
通気路形成シートの坪量は１０〜５０ｇ／ｍ２とすることが好ましい。１０ｇ／ｍ２未満とすると、１）シートの嵩が小さ過ぎて伸縮材を固定する接着剤がシートを透過して染み出す、２）シート強度が低下して、おむつを引き上げた際におむつのウエスト被包部が破れる、等の不具合を生ずるおそれがある。一方、５０ｇ／ｍ２を超えると、１）シートの剛性が高過ぎて伸縮材の収縮に連動して撓み難くなり、通気路構造を形成し難くなる、２）シートの嵩が大き過ぎてウエスト被包部がゴワゴワし、着用感が低下する等のおそれがある。
【００６５】
本発明の使い捨ておむつにおいては、独立した部材として構成された通気路形成シートが、前被包部及び後被包部の少なくとも一方の肌当接面に配置されるとともにウエスト端縁で折り返され、前被包部及び後被包部の少なくとも一方の最外面を構成するシート材（例えば外装体を構成するアウターシート等）の一部を被覆するように配置されていることが好ましい。このような形態は最外面を構成するシート材の端縁が被覆され、露出しなくなるので、当該端縁が着用者の肌に当たって刺激を与えたり、痛みを生じさせたりする等、着用感が低下する事態を防止することができる。
【００６６】
但し、通気路形成シートは独立した部材として構成されている必要はない。例えば図７Ｄに示す使い捨ておむつ３０１においては、伸縮性不織布３９６が接合された、トップシート３１８、不織布シート３３２等を通気路形成シートとして利用している。また、通気路形成シートは前被包部及び後被包部の少なくとも一方を構成するシート材の折り返し部により形成されていてもよい。この形態は、後被包部等を構成するシート材が折り返されて、前記シート材の端縁がおむつのウエスト端縁に位置しなくなる。従って、前記シート材の端縁が着用者の肌に当たって刺激を与えたり、痛みを生じさせたりする等、着用感が低下する事態を防止することができる。
【００６７】
図１Ｂ及び図１Ｄに示すように、折り返し部８８とは、通気路形成シート８２のうちウエスト端縁２ｃ，６ｃに形成される折り返し線より先端側の部分であり、おむつの内面側に折り込まれる部分を意味する。この折り返し部８８は伸縮部８０に積層されて通気路形成シートとして機能することになる。例えば、カバーシートや外装体を構成するアウターシートの一部を折り返して折り返し部を形成することができる。図１Ｂ及び図１Ｄに示す使い捨ておむつ１ではアウターシート６３，６６の折り返し部８８を通気路形成シート８２として利用している。
【００６８】
通気路形成シートとして外装体を構成するシートを用いる場合、そのまま（即ち、インナーシートとアウターシートが重なった２枚重ねの状態のまま）、折り返して折り返し部を形成することもできる。但し、インナーシートとアウターシートのいずれか一方を他方の端部からはみ出すように構成し、そのはみ出した部分を折り返して折り返し部を形成することが好ましい。このような構成は折り返し線部分（即ち、通気部分）のシート枚数を減じて通気性をより向上させることができる。例えば図１Ｄに示す使い捨ておむつ１においては、アウターシート６３，６６をインナーシート６１，６４の端部からはみ出すように構成し、そのはみ出した部分を折り返して折り返し部８８を形成している。
【００６９】
折り返し部の長さは特に限定されない。但し、少なくともウエスト被包部を被覆可能な長さとすることが好ましく、ウエスト被包部及びタミー被包部を被覆可能な長さとすることが更に好ましい。タミー被包部まで被覆可能な長さとすると、湿気の多い股下被包部近傍まで通気路構造を到達させることができるため好ましい。具体的には、おむつ内側に折り込まれた部分の長さを２０〜１００ｍｍとすることが好ましい。
【００７０】
通気路形成シートには、おむつの内部空間と、通気路形成シートによって形成された通気路とを連通させる孔が形成されていてもよい。このような構造とすることで、おむつの内部空間から孔を経由して通気路に湿気が流入し、通気路を経由しておむつの外部空間へ湿気が排出される。
【００７１】
「孔」とは、おむつの内部空間と通気路とを連通させる開口部を意味し、その形状は特に限定されない。例えば、円形、楕円形、多角形（三角形、四角形等）等の形状を挙げることができる。
【００７２】
なお、「孔」には常時開口しているもののみならず、開閉可能な構造のものも含まれる。例えば通気路形成シートに軌跡が凸形状のスリット又は交差する複数本のスリットを形成することにより、弁として機能する舌片を有する孔とすることができる。前記舌片により、通気路に尿や体液が侵入することを抑制しつつ、湿気を通過させることができる。
【００７３】
スリットの形態は特に限定されない。「軌跡が凸形状のスリット」としては、ａ）湾曲部を有するスリット（逆Ｕ字状スリット等）、ｂ）屈曲部を有するスリット（逆Ｖ字状スリット等）等を挙げることができる。また、「交差する複数本のスリット」としては、ｃ）二本のスリットを交差させて形成した十字状のスリット、ｄ）３本のスリットを交差させて形成した星型のスリット等を挙げることができる。
【００７４】
前記の孔は、通気路形成シートのうち通気路が形成される部位（即ち、接合部間領域）に形成されることが好ましい。特に、通気路形成シートが前記折り返し部により形成されたものである場合には、折り返し部の先端部近傍に孔が形成され、当該孔よりも更に折り返し部の先端寄りの部分が伸縮部に対して接合されていることが好ましい。このような形態は伸縮部の収縮によって孔が強制的に開放されるため好ましい。
【００７５】
前記構成では強制的に開放された孔が通気路の端部開口となる。従って、おむつ内部空間の湿気は、強制的に開放された孔から通気路の内部に流入し、通気路を通過し、おむつのウエスト端縁で通気路形成シートを透過しておむつの外部空間に排出される。このような構成は単に通気路形成シートに孔を形成した構造と比較して、湿気が通気路に流入し易く、湿気をおむつ外部に排出し易い点において好ましい。
【００７６】
また、通気路形成シートには孔を複数形成してもよい。孔を複数形成することによって、通気性が向上し湿気をおむつ外部に排出し易くなる。
【００７７】
「複数」の具体的な数は特に限定されない。孔の開口面積によっても異なるが、開口面積が０．５〜１０ｍｍ２の孔であれば５〜２００個形成することが好ましく、１０〜１００個形成することが更に好ましい。５個以上とすることで通気性向上効果を得ることができる。一方、２００個以下とすることで尿や体液が通気路に流入することを有効に防止することができる。
【００７８】
通気路形成シートに薬剤を付着させておくことも好ましい形態の一つである。薬剤を付着させることにより、着用者の肌と直接接触する通気路形成シートに当該薬品に基づく薬効を付与することができる。
【００７９】
薬剤の種類は特に限定されない。例えば保湿剤（アロエエキス、プロピレングリコール等）；保湿効果を奏することに加え、ウレアーゼ阻害活性を有するスキンケア用添加物（ユーカリ抽出物等）；の他、消毒剤、抗菌剤（エデト酢酸、塩化ベンザルコニウム等）、消臭剤（各種ポリフェノール化合物等）等を挙げることができる。
【００８０】
［２−３］接合部：
本発明の使い捨ておむつにおいては、図１Ｆ及び図１Ｇに示すように通気路形成シート８２が伸縮部８０に積層され、通気路形成シート８２と伸縮部８０とが、胴周り方向に向かって間欠的に形成された接合部８４により接合されている。
【００８１】
前記構造とすることで、伸縮部８０の収縮に追従して通気路形成シート８２の接合部８４間距離も狭められ、おむつの胴周りにおむつの内部空間と外部空間を連通する通気路８６が形成される。この通気路８６によりおむつの通気性・柔軟性が向上する。また、前記構造であれば、特許文献２〜６に記載のパンツ型吸収性物品のように伸縮材の位置を考慮してシート同士を接合する等の精密な接合技術は不要である。従って、容易に製造することができる。
【００８２】
「間欠的」とは、接合部が非連続的ないし断続的に形成されていることを意味する。本発明においては、通気路形成シートや伸縮部における一の接合部と他の接合部との間隙部が収縮して通気路を形成する。従って、接合部同士の間隔は通気路形成シート等の幅方向に向かって２〜５０ｍｍとすることが好ましく、５〜１０ｍｍとすることが特に好ましい。
【００８３】
なお、「間欠的」とはおむつの胴周り方向に対して間欠的であればよい。即ち、接合部が前後方向（胴周り方向と直交する方向）に向かっていかなる形状に形成されているかは特に限定されない。
【００８４】
例えば、図１Ｈは図１Ｂに示す使い捨ておむつ１の折り返し部８８を展開した状態を模式的に示す展開図である。この例では伸縮部（伸縮性不織布）を構成する一の不織布シートである押さえシート６８に対し、通気路形成シート８２として機能するアウターシート６６の折り返し部８８が接合されている（接合部８４）。
【００８５】
接合部８４は折り返し部８８及び押さえシート６８の前後方向に向かう、複数の線状接合部９０からなる。そして、線状接合部９０が折り返し部８８及び押さえシート６８の胴周り方向に向かって間欠的に形成されている。
【００８６】
図３Ｂに示す形態は、図３Ａに示す形態と伸縮部の構成が同一で、接合部の形態が異なるものである。線状接合部９０Ａの各々は、複数のドット状接合部９２Ａが折り返し部８８及び押さえシート６８の前後方向に向かって一列に配置された集合体として形成されている形態である。
【００８７】
図３Ａに示す例では、線状接合部９０Ａが折り返し部８８及び押さえシート６８の前後方向に向かって配向している。従って、胴周り方向に向かって配向させた場合と比較して湿気等が前記前後方向に向かって流れ易く、おむつのウエスト端縁６ｃ側からの湿気等の排気を促進することができる。また、着用者のウエスト周りの曲線的な形状におむつを追従させ易く、フィット性、着用感にも優れる。更に、線状接合部９０Ａが円形状のドット状接合部９２Ａの集合体として形成されている。従って、触感が硬くなり易い接合部８４Ａが肌に当たっても痛みを生じ難い。
【００８８】
なお、本明細書において「線状」というときは、おむつの前後方向に延びる形状を広く包含するものとし、いわゆる線状の他、帯状、短冊状等の形状も含むものとする。また、複数のドット状接合部が「集合体」と把握されるためには、隣接するドット状接合部との間隔が５ｍｍ以下であることを要する。
【００８９】
また、図３Ｂに示す形態は、図３Ａに示す形態と伸縮部の構成が同一で、接合部の形態が異なるものである。接合部８４Ｂは、折り返し部８８及び押さえシート６８の前後方向に向かう、複数の線状接合部９０Ｂからなる。そして、線状接合部９０Ｂが折り返し部８８及び押さえシート６８の胴周り方向に向かって間欠的に形成されている。更に、線状接合部９０Ｂの各々は、複数のドット状接合部９２Ｂが折り返し部８８及び押さえシート６８の前後方向にｎ行、幅方向にｍ列で、ｎ＞ｍを満たすマトリクス状に配置された集合体して形成されている形態である。この形態は「ｎ＞ｍ」とすることで、各々の線状接合部９０Ｂにおいて胴周り方向に比して前後方向に、より多くのドット状接合部９２Ｂを配置し、胴周り方向よりも前後方向が長い線状に形成したものである。
【００９０】
図３Ｂに示す例では、線状接合部９０Ｂが円形状のドット状接合部９２Ｂの集合体として形成され、そのドット状接合部９２Ｂが５行２列のマトリクス状に配置された集合体として形成されている。
【００９１】
前記のような形態では、幅１〜４ｍｍ×長さ２〜８０ｍｍの線状接合部を、長さ方向に１〜３０箇所形成することが好ましい。各々の線状接合部は１個当たりの面積が１〜４ｍｍ２のドット状接合部を幅方向に０．２〜５ｍｍ間隔、長さ方向に０．５〜３ｍｍ間隔でマトリクス状に配置した集合体とすることが好ましい。
【００９２】
図３Ａ及び図３Ｂにおいては、線状接合部をドット状接合部の集合体として形成した例で説明した。但し、図３Ｃに示すように胴周り方向に向かって間欠的に、かつ、使い捨ておむつの前後方向に向かって連続的に形成された接合部８４Ｃであることも好ましい（線状接合部９０Ｃ）。図３Ｃに示す形態も、図３Ａに示す形態と伸縮部の構成が同一で、接合部の形態が異なるものである。
【００９３】
中でも、接合部８４Ｃのように胴周り方向と直交するように形成され、通気路がウエスト端縁６ｃを縦に横切る方向に並んでいる形態が好ましい。この形態では通気路がウエスト端縁６ｃにおいて、おむつの内部空間と外部空間を連通する。従って、煙突効果（体温で暖められて軽くなった湿気が外気との密度差で通気路上方に押し上げられる）により十分な通気を図ることが可能となる。
【００９４】
前記形態では、接合部がおむつの前後方向に延びる線状に形成されている。従って、おむつのウエスト端縁側からの湿気等の排気が促進される点において好ましい。同様の思想から、前後方向に複数の接合部を形成する場合に、その複数の接合部が前後方向に向かう一直線上に乗るように一列に整列させて形成することが好ましい。このように接合部を形成することで、おむつの前後方向に連続する直線的な通気路を形成し易くなる。このような構造は、形成される通気路が潰れ難くなり、通気性を向上させ易い点において好ましい。
【００９５】
本発明の使い捨ておむつにおいては、前記通気路形成シートと前記伸縮部とが、前記胴周り方向と前記使い捨ておむつの前後方向の両方向に向かって間欠的に形成された接合部により接合されていることも好ましい。
【００９６】
例えば、複数のドット状接合部が千鳥に配置されたものであってもよい。このような形態でも、伸縮部の収縮に追従して通気路形成シートが撓み、おむつの内部空間と外部空間を連通する通気路が形成される。従って、本発明の効果であるウエスト開口部近傍の通気性、柔軟性を得ることができる。
【００９７】
［２−４］前被包部への配置：
これまでの説明では通気路形成シートを後被包部に配置する形態について説明してきた。但し、後被包部に加えて前被包部に同様の通気路を形成し得るようにしたものも好ましい。
【００９８】
即ち、図１Ｄに示す使い捨ておむつ１のように、１）少なくとも前被包部２の一部に伸縮性不織布からなる伸縮部８０が形成され、伸縮部８０は胴周り方向に収縮するように形成されていること、２）前被包部２の肌当接面の一部に撥水性不織布からなる通気路形成シート８２が配置されていること、３）通気路形成シート８２は、伸縮部８０に積層され、通気路形成シート８２と伸縮部８０とが、胴周り方向に向かって間欠的に形成された接合部８４により接合されていること、が好ましい。このような形態は、胴周りの全周（前被包部側、後被包部側の双方）において、通気路の有する通気性向上効果・柔軟性向上効果を得ることができる。
【００９９】
前被包部においても伸縮部、通気路形成シート及び接合部の構成は、後被包部のものと特に異なることはない。配置位置が前被包部側である点のみが異なる。図１Ａ〜図１Ｅに示す使い捨ておむつ１は、後被包部６と同様の通気路形成構造を前被包部２にも形成したものである。
【０１００】
［２−５］具体的な実施形態及びその製造方法：
本発明の使い捨ておむつの具体的な実施形態としては、以下の２形態を挙げることができる。以下、製造方法とともに説明する。
【０１０１】
［２−５ａ］第１の実施形態：
第１の実施形態は、図１Ｄ、図１Ｆ及び図１Ｇに示すように、通気路形成シート８２と伸縮部８０の肌当接面とが、胴周り方向に向かって間欠的に形成された接合部８４により接合されている形態である。この例では、図１Ｄに示すように通気路形成シート８２（この例ではアウターシート６６の折り返し部８８）と、伸縮部８０の肌当接面を構成する第１不織布シート（この例では押さえシート６８）とが、おむつの胴周り方向に向かって間欠的に形成された接合部８４により接合されている。そして、前記第１不織布シートと、伸縮部８０の外表面を構成する第２不織布シート（この例ではアウターシート６３，６６）との層間に、ウエスト伸縮材４２が伸張状態で固定されている形態である。
【０１０２】
第１の実施形態の場合、おむつの肌当接面側に通気路８６が形成される。このような構造は、通気路形成による通気性向上効果や柔軟性向上効果が発揮され易い点において好ましい。また、着用者の肌とウエスト伸縮材４２の間に、前記第１不織布シートと通気路形成シート８２が介在するため、ウエスト伸縮材４２が肌に擦りつけられる不快感が大幅に低減される。
【０１０３】
第１の実施形態は、例えば図２Ａ及び図２Ｂに示すような工程により製造することができる。図２Ａは図１Ｄに示す使い捨ておむつ１を製造する工程を模式的に示す工程図である。この図は作図上の都合により、一のパンツ型おむつの後被包部におけるウエスト端縁近傍に対応する部分のみを拡大して示している。実際には連続的な製造方法を採用してもよい。具体的には、長尺シート材、長尺伸縮材を図面左右方向に送り出すようにして、図示の構造単位が図面左右方向に複数繰り返されるように連続させた形で製造を行うことが好ましい。図２Ｂは図２Ａに示す各工程を図２Ａに示す構造単位の幅方向中央で切断した切断端面を模式的示す概略端面図である。
【０１０４】
まず、図２Ａ及び図２Ｂの（ａ）図に示すように、通気路形成シート８２となるアウターシート６６と、第１不織布シートとなる押さえシート６８を用意する。
【０１０５】
次いで、図２Ａ及び図２Ｂの（ｂ）図に示すように、アウターシート６６の折り返し部８８に押さえシート６８を接合し、接合部８４を形成する。この際、アウターシート６６の端縁から押さえシート６８がはみ出すように接合を行う。図示の例ではヒートシールにより接合部８４を形成している。そして、使い捨ておむつの前後方向（図面上下方向）に向かって連続的に、おむつの胴周り方向（図面左右方向）に向かって間欠的に接合部８４を形成している。
【０１０６】
また、図示の例では、アウターシート６６の一部（露出部７８）が露出するように、インナーシート６４が積層された積層シートが用いられている。
【０１０７】
更に、図２Ａ及び図２Ｂの（ｃ）図に示すように、アウターシート６６の露出部７８に、ウエスト伸縮材４２を伸張状態で配置し、接着する。これに併せて吸収性本体１４を付設する。この吸収性本体１４内部の破線部分は吸収体２２を示している。この場合、ウエスト伸縮材４２を挟む不織布間は、連続面で接着されることになる。
【０１０８】
ウエスト伸縮材４２の接着は、１）第２不織布シートとなるアウターシート６６の露出部７８又は第１不織布シートとなる押さえシート６８にホットメルト接着剤を連続的に塗工し、その塗工部分にウエスト伸縮材４２を伸張状態で配置し、接着する方法、２）ウエスト伸縮材４２に直接ホットメルト接着剤を塗布ないしスプレーし、当該ウエスト伸縮材４２を伸張状態で接着する方法、３）露出部７８又は第１不織布シートとなる押さえシート６８の上部に、ウエスト伸縮材４２を伸張状態で配置しておき、その状態でホットメルト接着剤をスプレーし、露出部７８又は押さえシート６８とウエスト伸縮材４２の双方にホットメルト接着剤を付着させ、接着する方法、４）露出部７８又は第１不織布シートとなる押さえシート６８の表面に、ウエスト伸縮材４２を伸張状態で配置しておき、その状態でホットメルト接着剤をスプレーないし連続的に塗工し、露出部７８又は押さえシート６８とウエスト伸縮材４２の双方にホットメルト接着剤を付着させ、接着する方法等により行うことができる。
【０１０９】
これらの形態における「連続的に塗工」には接着剤を全面にベタ塗り又は全面にスプレーする形態のみならず、スパイラル状に塗工する形態等も含む。即ち、使い捨ておむつの幅方向に向かって接合部が連続的に形成されている形態であればよい。前記１）〜４）のいずれの方法を採用した場合でも、使い捨ておむつの幅方向に向かって接合部が連続的に形成される。従って、伸縮部８０を構成する露出部７８と押さえシート６８との層間には使い捨ておむつの前後方向に向かう連続的な通気路は形成されないことになる。一方、押さえシート６８と通気路形成シート８２（折り返し部８８）との層間には前記通気路が形成され、この通気路によって通気性が向上する。
【０１１０】
前記１）の接着方法は、スリットコーター（シムコーター）、カーテンスプレー、スパイラルスプレー、オメガコート等の手法により、前記２）の接着方法は、コームガン、オメガコート、サミット等の手法により、前記３）及び４）の接着方法は、オメガコート、サミット等の手法により、実施することができる。なお、オメガコートは、例えばオメガノズルヘッド（ＩＴＷダイナテック社製）を用いることにより、サミットは、例えばサミットノズル（ノードソン社製）を用いることにより実施することができる。
【０１１１】
最後に、図２Ａ及び図２Ｂの（ｄ）図に示すように、アウターシート６６の折り返し部８８及びアウターシート６６に対して接合された押さえシート６８をウエスト端縁６ｃに相当する位置で折り返してアウターシート６６の露出部７８に対して重畳させ、押さえシート６８の一部でトップシート１８の一部を被覆するように、押さえシート６８をホットメルト接着剤で固定する。これにより伸縮部８０が形成され、伸縮部８０の層間にウエスト伸縮材４２が挟み込まれる。
【０１１２】
［２−５ｂ］第２の実施形態：
第２の実施形態は、通気路形成シートが、伸縮部の肌当接面から伸縮部の外表面にかけて連続的に配置されている形態である。そして、通気路形成シートと伸縮部の肌当接面及び外表面とが、胴周り方向に向かって間欠的に形成された接合部により接合されている形態である。
【０１１３】
第２の実施形態の場合、おむつの肌当接面と外表面の双方に通気路形成シートが配置されている。従って、おむつの肌当接面と外表面の双方に通気路が形成され、ウエスト周りに通気路構造が２層形成される。このような構造は、肌当接面側の通気路によって通気性、柔軟性が向上し、外表面側の通気路によって外表面の触感（手触り）を向上させる点において好ましい。
【０１１４】
図２Ａ及び図２Ｂと同様の図面である図４Ａ及び図４Ｂを用いて説明する。以下の説明では第１の実施形態と同様の部分に関しては説明を省略し、第１の実施形態と異なる部分を中心に説明する。
【０１１５】
まず、図４Ａ及び図４Ｂの（ａ）図に示すように、通気路形成シート８２Ａとなるアウターシート６６と、第１不織布シート及び第２不織布シートとなる不織布シート７６Ａを用意する。第２の実施形態では伸縮部の肌当接面から外表面にかけて連続的に通気路形成シート８２Ａを配置するため、第１の実施形態と比較しておむつ前後方向に長い通気路形成シート８２Ａを用いている。また、第１の実施形態のように押さえシートを用いない。
【０１１６】
次いで、図４Ａ及び図４Ｂの（ｂ）図に示すように、アウターシート６６Ａの露出部７８から折り返し部８８にかけて連続的に不織布シート７６Ａを接合し、接合部８４Ｄを形成する。図示の例ではヒートシールにより接合部８４Ｄを形成しており、使い捨ておむつの前後方向（図面上下方向）に向かって連続的に、幅方向（図面左右方向）に向かって断続的に接合部８４Ｄを形成している。
【０１１７】
更に、図４Ａ及び図４Ｂの（ｃ）図に示すように、不織布シート７６Ａ（アウターシート６６の露出部７８及び折り返し部８８に間欠的に接合されている。）の表面にホットメルト接着剤を連続的に塗工し、ウエスト伸縮材４２を伸張状態で配置する。これに併せて吸収性本体１４を付設する。
【０１１８】
最後に、図４Ａ及び図４Ｂの（ｄ）図に示すように、不織布シート７６Ａ及びアウターシート６６の折り返し部８８（不織布シート７６Ａが接合されている。）をウエスト端縁６ｃに相当する位置で折り返して不織布シート７６Ａ及びアウターシート６６の露出部７８（不織布シート７６Ａが接合されている。）に対して重畳させ、固定する。これにより伸縮部８０が形成され、伸縮部８０の層間にウエスト伸縮材４２が挟み込まれる。
【０１１９】
［２−５ｃ］その他：
最後に、通気路形成シートと伸縮部の外表面とが、胴周り方向に向かって間欠的に形成された接合部により接合されている形態についても説明する。
【０１２０】
この形態の場合、伸縮部の外表面に通気路が形成される。おむつの外表面に柔軟性を付与できるので、おむつを交換する者（母親や介護者）がおむつに触れた際に柔らかい触感を得ることができる。また、おむつの着用時にはウエスト被包部がおむつの内側に折れ込むことがある。前記のような構造であれば折れ込んだ部分が着用者の肌に触れても肌当たりが良く、柔らかい触感を得ることができる。
【０１２１】
図２Ａ及び図２Ｂと同様の図面である図５Ａ及び図５Ｂを用いて説明する。以下の説明では第１の実施形態、第２の実施形態と同様の部分に関しては説明を省略し、これらの実施形態と異なる部分を中心に説明する。
【０１２２】
まず、図５Ａ及び図５Ｂの（ａ）図に示すように、通気路形成シート８２Ｂとなるアウターシート６６Ｂと、第２不織布シートとなる不織布シート７６Ｂを用意する。アウターシート６６Ｂの一部で吸収性本体１４を構成するトップシート１８の一部を被覆するため、第１の実施形態と比較しておむつ前後方向に長いアウターシート６６Ｂを用いている。
【０１２３】
次いで、図５Ａ及び図５Ｂの（ｂ）図に示すように、アウターシート６６Ｂのインナーシート６４から露出された部分（露出部７８）に、不織布シート７６Ｂを接合し、接合部８４Ｅを形成する。図示の例ではヒートシールにより接合部８４Ｅを形成しており、使い捨ておむつの前後方向（図面上下方向）に向かって連続的に、幅方向（図面左右方向）に向かって断続的に接合部８４Ｅを形成している。
【０１２４】
更に、図５Ａ及び図５Ｂの（ｃ）図に示すように、不織布シート７６Ｂ（アウターシート６６Ｂに接合されている。）の表面にホットメルト接着剤を連続的に塗工し、ウエスト伸縮材４２を伸張状態で配置する。これに併せて吸収性本体１４を付設する。
【０１２５】
最後に、図５Ａ及び図５Ｂの（ｄ）図に示すように、折り返し部８８をウエスト端縁６ｃに相当する位置で折り返して不織布シート７６Ｂ、インナーシート６４及びトップシート１８に対して重畳させ、固定する。これにより伸縮部８０が形成され、伸縮部８０の層間にウエスト伸縮材４２が挟み込まれる。この例では、アウターシート６６Ｂの折り返し部８８によって、吸収性本体１４のトップシート１８の一部が被覆されている。
【０１２６】
［３］使い捨ておむつの構成部材：
本発明の使い捨ておむつは、図１Ｃ及び図１Ｄに示す使い捨ておむつ１のように、少なくとも吸収体２２を備える。そして、通常は、吸収体２２の他に、トップシート１８、バックシート２０等を構成部材として備える。また、目的に応じて、立体ギャザー、各種伸縮材等の他の構成部材を備えていてもよい。
【０１２７】
［３−１］吸収体：
「吸収体」は、吸収性材料によって構成された構造体である。着用者の尿等を吸収し保持する目的で用いられる。前記吸収性材料としては、例えばフラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。前記フラッフパルプとしては木材パルプや非木材パルプを綿状に解繊したもの等を、前記ＳＡＰとしてはポリアクリル酸ナトリウム等を、前記親水性シートとしてはティシュ、吸収紙、親水化処理を行った不織布等を用いることが好ましい。
【０１２８】
「吸収体」としては、１種又は２種以上の吸収性材料をマット状に成形したものを用いることが好ましい。マットは単層であっても複層であってもよい。中でも、フラッフパルプ１００質量部に対して、１０〜５００質量部のＳＡＰを併用したものが好ましい。この際、ＳＡＰはフラッフパルプのマット中に混在させてもよいし、複数のフラッフパルプマットの層間に層状に配置して用いてもよい。なお、ＳＡＰの脱落を防止し、形状安定性を付与するために、吸収体全体を前記親水性シートによって被包しておくことが好ましい。図１Ｃ及び図１Ｄに示す吸収体２２は、親水性シートである上ティシュ５４及び下ティシュ５６によって吸収体２２全体が被包されている。
【０１２９】
「吸収体」は、目的に応じて矩形状、砂時計型等の所望の形状に成形されたものを用いればよい。例えば、図１Ｃ及び図１Ｄに示す吸収体２２は、矩形状の吸収体を用いた例である。なお、「吸収体」は、通常、図１Ｃ及び図１Ｄに示す吸収体２２のように、その表面側をトップシート１８によって被覆されるとともに、その裏面側をバックシート２０によって被覆される。即ち、吸収体２２は、トップシート１８とバックシート２０の層間に配置されることが一般的である。
【０１３０】
［３−２］トップシート：
「トップシート」は、吸収体の表面（おむつの装着時に着用者の肌と対向する側の面）を被覆するように配置されるシートである。着用者の尿等を透過させる必要があるため、その少なくとも一部（全部又は一部）が液透過性材料により構成される。
【０１３１】
前記液透過性材料としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【０１３２】
前記不織布としては、エアースルー（カード熱風）、カードエンボス等の製法によって製造された不織布を好適に用いることができる。前記親水化処理は、不織布の原綿に対して界面活性剤を塗布、スプレー、含浸等させることにより行うことができる。
【０１３３】
トップシートは「少なくとも一部」が液透過性材料によって構成されている。その位置については特に限定されない。但し、平面視した場合に股下被包部における吸収体の配置位置と重畳する部分が液透過性材料により構成されていることが好ましい。
【０１３４】
なお、本発明の使い捨ておむつは、着用者の肌と対向する側の面全てがトップシートによってカバーされている必要はない。例えば、テープ型使い捨ておむつにおいては、図７Ａ〜図７Ｄに示すように、おむつの胴周り方向中央部のみに液透過性材料からなるトップシート３１８を配置する場合がある。この際、おむつの胴周り方向側縁部（サイドフラップ部分）には通気撥水性材料からなるサイドシート３１９を配置する形態を採用することが多い。前記通気撥水性材料としては、カードエンボス、スパンボンド等の製法により得られた不織布シートを用いることが好ましい。特に防水性が高いＳＭＳ、ＳＭＭＳ等の不織布シートを用いることが好ましい。
【０１３５】
［３−３］バックシート：
バックシートは、吸収体の裏面（おむつの装着時に着用者の肌と背向する側の面）を被覆するように配置されるシートである。バックシートは、着用者の尿がおむつ外部に漏洩してしまうことを防止するため、液不透過性材料によって構成される。
【０１３６】
バックシートの配置位置については特に制限はない。吸収体に吸収された尿の漏れを防止するという観点から、少なくとも吸収体の配置位置をカバーするようにバックシートが配置されていることが好ましい。
【０１３７】
前記液不透過性材料としては、例えば、ポリエチレン等の樹脂からなる液不透過性フィルム等を挙げることができる。中でも、微多孔性ポリエチレンフィルムを用いることが好ましい。この微多孔性ポリエチレンフィルムは０．１〜数μｍの微細な孔が多数形成されたフィルムであり、液不透過性であるが透湿性を有する。従って、防漏性を確保しつつ、おむつ内部空間の蒸れを防止することができる。
【０１３８】
テープ型使い捨ておむつにおいては、図７Ｂ〜図７Ｅに示すようにバックシート３２０の外表面側にカバーシート３２４を貼り合わせる形態がよく用いられる。このカバーシート３２４は、バックシート３２０を補強し、バックシート３２０の手触り（触感）を良好なものとするために用いられる。
【０１３９】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【０１４０】
［３−４］立体ギャザー：
「立体ギャザー」は、おむつの肌当接面に配置された、立体的に起立する防漏壁である。着用者の肌に対して当接させ、レッグ伸縮材と相俟って排泄物の横漏れを防止する目的で用いられる。図１Ｂ及び図１Ｃに示す立体ギャザー２６、図７Ｂに示す立体ギャザー３２６のように、不織布シート３２，３３２によって構成され、不織布シート３２，３３２の層間に伸張状態の立体ギャザー伸縮材３６，３３６が挟み込まれて固定された構造のものを用いることが多い。このような構造とすれば、立体ギャザー伸縮材３６，３３６の収縮力によって立体ギャザー２６，３２６が立体的に起立する。通常は、吸収体２２の両側に左右一対配置する。
【０１４１】
不織布シートの材質は特に限定されない。但し、サイドシートと同様に、通気撥水性材料からなる不織布シートを好適に用いることができる。図１Ａ〜図１Ｅ及び図６Ｂ〜図６Ｄに示す不織布シート３２、図７Ｂ〜図７Ｄに示す不織布シート３３２は、全て通気撥水性の不織布シートを用いている。
【０１４２】
不織布シートは、専ら立体ギャザーを形成するものであってもよいし、立体ギャザーとおむつの他の部材を形成するものであってもよい。パンツ型使い捨ておむつの場合、図１Ｃに示すように専ら立体ギャザーを形成する不織布シート３２を用い、これを吸収性本体１４に対して付設し、吸収性本体１４と一体的に立体ギャザー２６を構成する形態とすることが多い。一方、テープ型使い捨ておむつの場合、図７Ｂに示すように撥水性不織布からなる不織布シート３３２によって立体ギャザー３２６とサイドシート３１９を構成する形態とすることが多い。
【０１４３】
［３−５］吸収性本体：
「吸収性本体」は、吸収体が内包された吸収パッドである。吸収性本体は後述する外装体と一体となって使い捨ておむつを構成する。「吸収パッド」とは、吸収体、トップシート及びバックシートが一体的に構成されたパッド状の部材を指す。例えば図１Ｃ及び図１Ｄに示す吸収性本体１４のように、吸収体２２の表面を被覆するトップシート１８と、吸収体２２の裏面を被覆するバックシート２０とが、吸収体２２の周縁部において貼り合わされ、トップシート１８とバックシート２０との層間に吸収体２２が内包された構造のものを挙げることができる。
【０１４４】
［３−６］外装体：
「外装体」とは、着用者の胴周りを被包する構造体である。「外装体」は単独で又は吸収性本体と一体となって一つのウエスト開口部及び一対のレッグ開口部が形成されたパンツ型を呈する。
【０１４５】
図１Ａに示す外装体１６は、着用者の胴周りを被包する前外装体６２及び後外装体６５を備えている。そして、吸収性本体１４と一体となって一つのウエスト開口部１０及び一対のレッグ開口部１２が形成されたパンツ型を呈する。また、図６Ａに示す外装体２１６は、着用者の胴周りを被包する部分と股下を被包する部分が一体的に構成され、外装体２１６単独で一つのウエスト開口部２１０及び一対のレッグ開口部２１２が形成されたパンツ型を呈する。
【０１４６】
外装体１６，２１６において接合部７，８（接合部２０７，２０８）に代えて係合可能なファスナー部材が付設され、そのファスナー部材同士を相互に係合させることによってパンツ型とすることが可能な形態、又は前記ファスナー部材同士が予め係合されてパンツ型を呈している形態のものも「外装体」に含まれる。前記ファスナー部材としては、例えばメカニカルファスナー等を挙げることができる。
【０１４７】
外装体の材質は特に限定されない。但し、おむつ内部空間の蒸れを防止するべく通気性に優れた素材により構成することが好ましい。前記素材としては、例えばポリエチレン、ポリプロピレン、ポリエステル、その他の合成繊維からなる不織布等を挙げることができる。
【０１４８】
外装体は２枚以上の不織布が貼り合わされて構成されることが多い。例えば、図１Ｄに示す外装体１６は２枚以上の不織布（インナーシート６４，６１、アウターシート６６，６３及び押さえシート６８）を貼り合わせた積層体によって構成されている。図６Ｄに示す外装体２１６も２枚以上の不織布（インナーシート２１５、アウターシート２１７及び押さえシート２６８）を貼り合わせた積層体によって構成されている。
【０１４９】
前記２枚以上の不織布の層間には伸張状態の各種伸縮材が固定されていることが好ましい。前記のような伸縮材は、外装体に対して、ホットメルト接着剤等の流動性の高い接着剤を用いた接着、ヒートシールをはじめとする熱や超音波等による溶着により固定される。図１Ｄに示す外装体１６は、インナーシート６４とアウターシート６６の層間、インナーシート６１とアウターシート６３の層間に、伸張状態のレッグ伸縮材４０及びタミー伸縮材４４が挟み込まれて固定されている。また、外装体１６は、押さえシート６８とアウターシート６６の層間、押さえシート６８とアウターシート６３の層間に、伸張状態のウエスト伸縮材４２が挟み込まれて固定されている。
【０１５０】
［３−７］おむつ本体：
テープ型の使い捨ておむつは、吸収性本体と外装体の２ピース構成を採らないことが多い。テープ型の使い捨ておむつにおいて、吸収体と、吸収体を被覆する各種シートが一体的に構成された構造体は「おむつ本体」と称される。「おむつ本体」は、各種シートの層間に吸収体が内包されており、おむつの本質的機能である吸収・保持機能を発揮する部材である。一方、吸収体を内包せず、吸収・保持機能が発揮されない部材（サイドシートとは別体のサイドフラップ、止着テープ等）は「おむつ本体」の構成部材ではない。
【０１５１】
例えば図７Ｂ〜図７Ｄに示す使い捨ておむつ３０１は、吸収体３２２と、吸収体３２２を被覆するトップシート３１８、サイドシート３１９、バックシート３２０及びカバーシート３２４が一体的に構成されたおむつ本体３７０を備えている。図７Ａに示す使い捨ておむつ３０１において、止着テープ３１１、前サイドフラップ３７２及び後サイドフラップ３７４は、おむつ本体３７０を構成しない。
【０１５２】
［３−８］各種伸縮材：
本発明の使い捨ておむつには、ウエスト伸縮材、レッグ伸縮材、タミー伸縮材等の伸縮材を配置することが好ましい。既述の如く、ウエスト伸縮材やタミー伸縮材を本発明に言う「伸縮部」、「伸縮性不織布」を構成する伸縮材として利用することもできる。
【０１５３】
［３−８ａ］ウエスト伸縮材：
ウエスト伸縮材は、ウエスト被包部に配置される伸縮材である。ウエスト伸縮材によってウエスト被包部にウエストギャザーが形成される。
【０１５４】
ウエスト伸縮材は、おむつのウエスト端縁に沿って配置することが好ましい。「沿って」とは、基準となる部分に対して概ね平行であることを意味する。即ち、厳密な意味で平行である必要はない。但し、図１Ｅに示すウエスト伸縮材４２はウエスト端縁２ｃ，６ｃと平行となるように配置されている。
【０１５５】
パンツ型の使い捨ておむつの場合、図１Ａ及び図１Ｅに示すように、ウエスト伸縮材４２として、複数本の線状伸縮材を用いることが多い。また、ウエスト端縁２ｃ，６ｃに沿って、前被包部２と後被包部６の双方にウエスト伸縮材４２を配置することが多い。一方、テープ型使い捨ておむつの場合、ウエスト伸縮材として、１枚の面状伸縮材（伸縮性フォーム等）を用いることが多い。また、後被包部のウエスト端縁に沿って、後被包部のみにウエスト伸縮材を配置することが多い。
【０１５６】
［３−８ｂ］レッグ伸縮材：
レッグ伸縮材は、股下被包部に配置される伸縮材である。レッグ伸縮材によって股下被包部にレッグギャザーが形成される。
させるため）。
【０１５７】
パンツ型使い捨ておむつの場合、図６Ａ、図６Ｂ及び図６Ｅに示すように、レッグ伸縮材２４０として、複数本の線状伸縮材を用いることが多い。また、外装体２１６のレッグ開口部２１２の外縁に沿って、レッグ伸縮材２４０を曲線的に配置する形態を採用することが多い。この形態においては、図６Ｅに示すようにレッグ伸縮材２４０が股下被包部２０４における胴周り方向中央を横断しないように配置することが好ましい。この形態によれば、股下被包部２０４における胴周り方向中央にレッグ伸縮材２４０の収縮力が作用し難い。従って、吸収体２２のヨレが防止され、着用者の股下に対し吸収体２２がフィットし易くなる。
【０１５８】
図１Ａ、図１Ｂ及び図１Ｅに示す使い捨ておむつ１は、後外装体６５の股下被包部４に、レッグ伸縮材４０を直線的に配置している。レッグ伸縮材４０はウエスト端縁６ｃと平行になるように配置されている。また、吸収性本体１４における吸収体２２の両側縁に沿って、レッグ伸縮材３８を直線的に配置している。このような形態においてはレッグ伸縮材３８，４０及び前外装体６２のタミー伸縮材４４が一体となって着用者の脚周りに対するフィット性を向上させる。
【０１５９】
また、レッグ伸縮材３８を配置すると、おむつの着用時において、吸収性本体１４の両側縁が吸収体２２よりも立ち上がった形態になり易い。このような形態は、排尿後に吸収性本体１４の幅方向中央部（即ち吸収体２２が配置されている部分）に尿が集まり易くなる。従って尿漏れを発生し難くすることができる。
【０１６０】
一方、テープ型使い捨ておむつの場合、図７Ａ及び図７Ｅに示すように、レッグ伸縮材３４０として、複数本の線状伸縮材を用いることが多い。また、少なくとも股下被包部３０４に、吸収体３２２の両側縁に沿う直線状に、左右複数対の線状伸縮材を配置する形態を採用することが多い。
【０１６１】
［３−８ｃ］タミー伸縮材：
タミー伸縮材は、タミー被包部に配置される伸縮材である。タミー伸縮材によってタミー被包部にタミーギャザーが形成される。主としてパンツ型の使い捨ておむつに配置される伸縮材である。
【０１６２】
パンツ型使い捨ておむつの場合、図１Ａ、図１Ｂ及び図１Ｅに示すように、タミー伸縮材４４として、複数本の線状伸縮材を用いることが多い。また、ウエスト端縁２ｃ，６ｃに沿って直線的に、また、前被包部２と後被包部６の双方にタミー伸縮材４４を配置することが多い。レッグ伸縮材の場合と同様の理由から、図１Ｅに示すように吸収体２２の配置部位を横断しないようにタミー伸縮材４４を配置することが好ましい。
【０１６３】
［３−８ｄ］伸縮材の構成、その他：
伸縮材としては、天然ゴムからなる平ゴム、合成ゴム（ウレタンゴム等）の弾性糸からなる糸ゴム等を好適に用いることができる。また、伸縮性ネット、伸縮性フィルム、伸縮性フォーム（ウレタンフォーム等）等を用いることもできる。
【０１６４】
伸縮材は、１２０〜４００％の伸長状態で固定することが好ましく、２００〜３００％の伸長状態で固定することが好ましい。この範囲とすることで着用者に対して過度の締め付け力を作用させることなく、十分な伸縮力を作用させることができる。伸縮材は、接着剤を用いた接着、熱や超音波等による溶着によって固定することができる。前記接着剤としてはホットメルト接着剤、その他の流動性の高い接着剤を用いることができる。溶着の方法としてはヒートシール等を挙げることができる。
【０１６５】
伸縮材の固定の方法は特に限定されない。但し、伸縮材及び前記伸縮材を挟み込む不織布シートの少なくとも一つに、接着剤を塗工ないし噴霧し、固定する方法等を挙げることができる。塗工方法としては、例えばスパイラル塗工等を挙げることができる。
【０１６６】
パンツ型使い捨ておむつの場合、ウエスト伸縮材、レッグ伸縮材、タミー伸縮材とも、外装体を構成する複数のシートの層間に挟み込むように固定する等の方法で配置することができる。
【０１６７】
例えば、図６Ａ、図６Ｂ及び図６Ｅに示す使い捨ておむつ２０１は、押さえシート２６８とアウターシート２１７の層間に挟み込むように、ウエスト伸縮材２４２を固定している。そして、インナーシート２１５とアウターシート２１７の層間に挟み込むように、レッグ伸縮材２４０及びタミー伸縮材２４４を固定している。
【０１６８】
但し、レッグ伸縮材については、吸収性本体を構成する複数のシートの層間に挟み込むように固定する等の方法で配置してもよい。
【０１６９】
例えば、図１Ａ、図１Ｂ及び図１Ｅに示す使い捨ておむつ１は、不織布シート３２（立体ギャザー２６を形成するために吸収性本体１４に貼り合わされる。）同士の層間又は不織布シート３２とカバーシート２４との層間に挟み込むように、レッグ伸縮材３８を固定している。なお、使い捨ておむつ１においては、押さえシート６８とアウターシート６３，６６の層間に挟み込むように、ウエスト伸縮材４２を固定している。また、インナーシート６１，６４とアウターシート６３，６６の層間に挟み込むように、レッグ伸縮材４０及びタミー伸縮材４４を固定している。
【０１７０】
一方、テープ型使い捨ておむつの場合、ウエスト伸縮材、レッグ伸縮材とも、おむつ本体を構成する複数のシートの層間に挟み込むように固定する等の方法で配置することができる。
【０１７１】
例えば、トップシートとカバーシートの層間に挟み込むように、ウエスト伸縮材を固定することができる。但し、図７Ａに示す使い捨ておむつ３０１は、おむつ本体３７０に対し、そのウエスト端縁３７０ｃ，３７０ｄ近傍に伸縮性不織布３９６を間欠的に接合し（接合部３８６）、伸縮性不織布３９６を構成する伸縮材３９１をウエスト伸縮材として利用している。
【０１７２】
また、図７Ｄに示す使い捨ておむつ３０１は、不織布シート３３２によって構成されるサイドシート３１９と、カバーシート３２４との層間に挟み込むように、レッグ伸縮材３４０を固定している。但し、トップシートとカバーシートの層間に挟み込むように、レッグ伸縮材を固定してもよい。
【０１７３】
［３−９］止着テープ：
「止着テープ」は、前被包部及び後被包部のいずれか一方を他方に対して止め付けるためのテープである。通常は、図７Ａ及び図７Ｅに示す止着テープ３１１のように、後被包部３０６の左右の側縁（この例ではおむつ本体３７０の側縁３７４ａ，３７４ｂ）から腰周り方向外側に延出するように付設される。
【０１７４】
止着テープはファスニング部材を有することが好ましい。ファスニング部材の種類は特に限定されない。但し、メカニカルファスナー（面状ファスナー）を用いることが好ましい。メカニカルファスナーは止着力が高く、複数回の脱着を行っても止着力が低下し難い点で好ましい。例えば、図７Ｅに示すように止着テープ３１１を構成する基材３５０の先端近傍にメカニカルファスナーのフック材３４８を付設する。一方、前被包部３０２に、メカニカルファスナーのループ材３４６からなるフロントパッチ３１３を付設する形態とすることが多い。
【０１７５】
止着テープの数は特に限定されない。但し、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【実施例】
【０１７６】
本発明の使い捨ておむつについて、図面を参照しながら更に具体的に説明する。但し、本発明の使い捨ておむつは、その発明特定事項を備えた使い捨ておむつを全て包含するものであり、以下の実施例に限定されるものではない。【０１７７】
〔実施例１〕
実施例１の使い捨ておむつとして、パンツ型使い捨ておむつを製造した。具体的な構造は、図１Ａ〜図１Ｅに示す使い捨ておむつ１の構造とした。この使い捨ておむつ１は、乳児用Ｌサイズのものであり、前後方向長さが４８５ｍｍ、前被包部２及び後被包部６の幅（側縁２ａ，２ｂ間、側縁６ａ，６ｂ間の長さ）が３２５ｍｍのものである。製造方法は、図２Ａ及び図２Ｂに示すような工程により行った。【０１７８】
図１Ｄに示す使い捨ておむつ１においては、図１Ｆ及び図１Ｈに示すように、通気路形成シート８２が伸縮部８０のうち肌当接面の側のみに配置され、通気路形成シート８２が伸縮部８０を構成する一の不織布である押さえシート６８に対して接合され、その接合部８４が通気路形成シート８２と押さえシート６８の幅方向に向かって間欠的に形成されている。そして、押さえシート６８と伸縮部８０を構成する他の不織布であるアウターシート６３，６６との層間には、ウエスト伸縮材４２が伸張状態で配置されている。通気路形成構造はおむつの後被包部６側のみならず、前被包部２側にも配置されている。【０１７９】
図１Ｄに示す使い捨ておむつ１においては、図１Ｆ〜図１Ｈに示すように、通気路形成シート８２は前外装体６２、後外装体６５を構成するアウターシート６３，６６の折り返し部８８を利用している。通気路形成シート８２は坪量１９ｇ／ｍ２のスパンボンド不織布が用いられている。【０１８０】
使い捨ておむつ１においては、アウターシート６３，６６の一の端部がウエスト端縁２ｃ，６ｃにおいてトップシート１８側に折り返されることによって、折り返し部８８が形成されている。折り返し部８８の前後方向の長さは８０ｍｍである。【０１８１】
図１Ｄに示すように、後被包部６を構成するアウターシート６３，６６に、押さえシート６８が積層されて伸縮部８０が形成されている。この伸縮部８０の層間に、ウエスト伸縮材４２が配置されている。【０１８２】
押さえシート６８としては、インナーシート６１，６４、アウターシート６３，６６とは別体の不織布シートが配置されている。押さえシート６８としては通気路形成シート８２と同種のスパンボンド不織布、即ち、坪量１９ｇ／ｍ２の撥水性不織布が用いられている。【０１８３】
図１Ｄ及び図１Ｆに示すように、押さえシート６８の先端は折り返し部８８の先端からはみ出すように構成されている。そして、そのはみ出し部分によって吸収性本体１４を構成するトップシート１８の一部が被覆されている。このはみ出し部分は通気路形成シート８２の端部から３５ｍｍだけはみ出すように構成されており、トップシート１８の端部から２５ｍｍの部分を被覆するように構成されている。【０１８４】
押さえシート６８は長さ８０ｍｍ（おむつの前後方向の寸法）のものを用い、押さえシート６８に対して折り返し部８８が接合されている。接合部８４は折り返し部８８の幅方向に向かって７ｍｍ間隔で配置されている。図１Ｆに示すように、接合部８４は折り返し部８８及び押さえシート６８の前後方向に向かう、複数の線状接合部９０とした。線状接合部９０は折り返し部８８及び押さえシート６８の幅方向に向かって間欠的に形成されている。【０１８５】
線状接合部９０の各々は、複数のドット状接合部９２が折り返し部８８及び押さえシート６８の前後方向に向かって一列に配置された集合体として形成されている。１つのドット状接合部の面積は４．６ｍｍ２とした。形状は幅１ｍｍ、長さ１．５ｍｍの矩形の両端に直径１ｍｍの半円を結合させたようなレーストラック形状とし、ドット状接合部９２の前後方向（幅方向と直交する方向）の間隔は０．５ｍｍとした。５個のドット状接合部９２の集合体が１つの線状接合部９０として構成され、その線状接合部９０が折り返し部８８及び押さえシート６８の前後方向に向かって２ｍｍ間隔で配置されている。【０１８６】
図１Ｄに示すように伸縮部８０の層間には、ウエスト端縁２ｃ，６ｃに沿ってウエスト伸縮材４２が伸張率３００％（元の長さの３倍）の伸張状態で６本配置されている。ウエスト伸縮材４２としては天然ゴムからなる平ゴム（厚さ０．３５ｍｍ×幅０．６５ｍｍ）を用いた。【０１８７】
〔実施例２〕
実施例２の使い捨ておむつとして、パンツ型使い捨ておむつを製造した。具体的な構造は、図６Ａ〜図６Ｅに示す使い捨ておむつ２０１の構造とした。この使い捨ておむつ２０１は、実施例１の使い捨ておむつと同サイズ、即ち前後方向長さが４８５ｍｍ、後被包部６の幅（側縁６ａ，６ｂ間の長さ）が３２５ｍｍのものである。【０１８８】
吸収性本体は実施例１の使い捨ておむつと同一構造の吸収性本体１４を用いた。外装体２１６は、実施例１の使い捨ておむつのような前後分離型ではなく、前被包部、股下被包部及び後被包部が一体的に形成された一体型のものを用いた。股下被包部の最狭部（Ａ−Ａ’端面の位置）の幅は１７５ｍｍとした。外装体２１６に配されるレッグ伸縮材２４０は、外装体２１６のレッグ開口部２１２の外縁に沿って曲線的に配置した。【０１８９】
その他の部分については、実施例１の使い捨ておむつと同様にして構成した。即ち、伸縮部や接合部の構成（各部寸法、使用材料等）、これらの形成方法等は実施例１の使い捨ておむつに準じて構成した。以下、具体的に説明する。【０１９０】
図６Ｂ及び図６Ｄに示す使い捨ておむつ２０１においては、通気路形成シート２８２が伸縮部２８０のうち肌当接面の側のみに配置され、通気路形成シート２８２が伸縮部２８０を構成する一の不織布である押さえシート２６８に対して接合され、その接合部２８４が通気路形成シート２８２と押さえシート２６８の幅方向に向かって間欠的に形成されている。そして、押さえシート２６８と伸縮部２８０を構成する他の不織布であるアウターシート２１７との層間には、ウエスト伸縮材２４２が伸張状態で配置されている。通気路形成構造はおむつの後被包部２０６側のみならず、前被包部２０２側にも配置されている。【０１９１】
図６Ｄに示すように、通気路形成シート２８２は外装体２１６を構成するアウターシート２１７の折り返し部２８８を利用している。通気路形成シート２８２は坪量１９ｇ／ｍ２のスパンボンド不織布が用いられている。【０１９２】
使い捨ておむつ２０１においては、アウターシート２１７の一の端部がウエスト端縁２０２ｃ，２０６ｃにおいてトップシート１８側に折り返されることによって、折り返し部２８８が形成されている。折り返し部２８８の前後方向の長さは８０ｍｍである。【０１９３】
図６Ｄに示すように、後被包部２０６を構成するアウターシート２１７に、押さえシート２６８が積層されて伸縮部２８０が形成されている。この伸縮部２８０の層間に、ウエスト伸縮材４２が配置されている。【０１９４】
押さえシート２６８としては、インナーシート２１５、アウターシート２１７とは別体の不織布シートが配置されている。押さえシート２６８としては通気路形成シート２８２と同種のスパンボンド不織布、即ち、坪量１９ｇ／ｍ２の撥水性不織布が用いられている。【０１９５】
図６Ｄに示すように、押さえシート２６８の先端は折り返し部２８８の先端からはみ出すように構成されている。そして、そのはみ出し部分によって吸収性本体１４を構成するトップシート１８の一部が被覆されている。このはみ出し部分は通気路形成シート２８２の端部から３５ｍｍだけはみ出すように構成されており、トップシート１８の端部から２５ｍｍの部分を被覆するように構成されている。【０１９６】
押さえシート２６８は長さ８０ｍｍ（おむつの前後方向の寸法）のものを用い、押さえシート２６８に対して折り返し部２８８が接合されている。接合部２８４は折り返し部２８８の幅方向に向かって７ｍｍ間隔で配置されている。図１Ｆに示す接合部８４と同様に、接合部２８４は、折り返し部２８８及び押さえシート２６８の前後方向に向かう、複数の線状接合部とした。線状接合部は折り返し部２８８及び押さえシート２６８の幅方向に向かって間欠的に形成されている。線状接合部の具体的形状については実施例１に説明した通りである。【０１９７】
図６Ｄに示すように伸縮部２８０の層間には、ウエスト端縁２０２ｃ，２０６ｃに沿ってウエスト伸縮材２４２が伸張率３００％（元の長さの３倍）の伸張状態で６本配置されている。ウエスト伸縮材２４２としては天然ゴムからなる平ゴム（厚さ０．３５ｍｍ×幅０．６５ｍｍ）を用いた。【０１９８】
〔実施例３〕
実施例３として、図７Ａ〜図７Ｅに示すテープ型の使い捨ておむつ３０１を作製した。このテープ型使い捨ておむつ３０１は、乳児用Ｌサイズのものであり、おむつ本体３７０の前後方向長さを４８５ｍｍ、幅を２３０ｍｍの矩形状に構成した。【０１９９】
おむつ本体３７０には、側縁３７０ａ，３７０ｂから延出されるように、伸縮性不織布３９５からなる後サイドフラップ３７４を付設した。伸縮性不織布３９５を構成する不織布シート３９３，３９４としては、坪量１８ｇ／ｍ２のポリプロピレン製スパンボンド不織布を用いた。２枚の前記スパンボンド不織布の層間に、伸縮材３９１として１０本の糸ゴムを５ｍｍピッチで配し、３００％の伸張状態で固定することにより伸縮性不織布３９５を構成した。【０２００】
後サイドフラップ３７４のサイズは、側縁３７４ａ，３７４ｂの上下方向長さを６０ｍｍ、おむつ本体の側縁３７０ａ，３７０ｂにおける上下方向長さを１０８ｍｍとした。おむつ本体３７０の側縁３７０ａ，３７０ｂからの左右方向の長さは８０ｍｍとした。【０２０１】
後サイドフラップ３７４の肌当接面には通気路形成シート３８３をおむつの胴周り方向に間欠的に接合した。通気路形成シート３８３はスパンボンド不織布からなり、坪量１８ｇ／ｍ２のポリプロピレン製不織布シートを用いた。この通気路形成シート３８３を超音波シールにて後サイドフラップ３７４の肌当接面に接合した。接合部３８５は、より具体的には幅１ｍｍ、長さ１０ｍｍの矩形状接合部を複数個集合的に形成したものであり、前記矩形状接合部をおむつの長さ方向に５０ｍｍ間隔、おむつの幅方向に８ｍｍ間隔で配列するものとした。【０２０２】
また、おむつ本体３７０のウエスト端縁３７０ｃ，３７０ｄ近傍の肌当接面にはおむつの胴周り方向に向かって間欠的に伸縮性不織布３９６を接合した。伸縮性不織布を構成する不織布シート３９７，３９８としては、坪量１５ｇ／ｍ２の撥水性のＳＭＳ不織布シートを用いた。不織布シート３９７，３９８の層間には、伸縮材３９９として１０本の糸ゴムを５ｍｍピッチで配し３００％の伸張状態で固定した。【０２０３】
伸縮性不織布３９６を超音波シールにておむつ本体３７０のウエスト端縁３７０ｃ，３７０ｄ近傍の肌当接面に接合した（接合部３８６）。即ち、おむつ本体３７０のウエスト端縁３７０ｃ，３７０ｄ近傍の部分（ウエスト被包部）を通気路形成シート３８３として利用した。接合部３８５は、幅０．４ｍｍ、長さ１０ｍｍの矩形状接合部を複数個集合的に形成したものであり、前記矩形状接合部をおむつの長さ方向に１ｍｍ間隔、おむつの幅方向に７ｍｍ間隔で配列するものとした。【０２０４】
後サイドフラップ３７４の側縁３７４ａ，３７４ｂには、側縁３７４ａ，３７４ｂから更に２７ｍｍ外側に延出されるように一対の止着テープ３１１を接合した。止着テープ３１１は、幅４０ｍｍ（後サイドフラップ３７４の上下方向の長さ）、長さ４２ｍｍ（後サイドフラップ３７４の左右方向の長さ）とした。後サイドフラップ３７４と左右方向１５ｍｍの範囲で重畳されるように接合した。接合方法はホットメルト接着剤による接着とした。【０２０５】
止着テープ３１１は、基材３５０に対しその側縁を基準として内側７〜２２ｍｍの範囲に幅１５ｍｍ（止着テープ３１１の左右方向の長さ）のフック材３４８を接合したものとした。【０２０６】
なお、実施例３の使い捨ておむつ３０１には、前被包部３０２側に前サイドフラップ３７２を付設した。前サイドフラップ３７２は幅２０ｍｍの部分を、サイドシート３１９とカバーシート３２４に挟み込み、ホットメルト接着剤により接着することで固定した。おむつ本体３７０の側縁３７０ａ，３７０ｂから外部に露出する部分は上底４０ｍｍ、下底６０ｍｍの等脚台形状とし、前記下底がおむつ本体３７０のウエスト端縁２ｃから１５〜７５ｍｍの範囲に配置されるように付設した。材質は後サイドフラップ３７４と同一の不織布とした。
【産業上の利用可能性】
【０２０７】
本発明の使い捨ておむつは、乳幼児用又は介護を必要とする高齢者や障害者等の成人用の使い捨ておむつ、より具体的にはパンツ型使い捨ておむつやテープ型使い捨ておむつとして利用することができる。
【符号の説明】
【０２０８】
１：使い捨ておむつ、２：前被包部、２ａ，２ｂ：側縁、２ｃ：ウエスト端縁、４：股下被包部、６：後被包部、６ａ，６ｂ：側縁、６ｃ：ウエスト端縁、７，８：接合部、１０：ウエスト開口部、１２：レッグ開口部、１４：吸収性本体、１５：インナーシート、１６：外装体、１７：アウターシート、１８：トップシート、２０：バックシート、２２：吸収体、２４：カバーシート、２６：立体ギャザー、２８：接合部、３２：不織布シート、３６：立体ギャザー伸縮材、３８，４０：レッグ伸縮材、４２：ウエスト伸縮材、４４：タミー伸縮材、５４：上ティシュ、５６：下ティシュ、６１，６４：インナーシート、６２：前外装体、６３，６６：アウターシート、６５：後外装体、６６Ａ，６６Ｂ：アウターシート、６８：押さえシート、７６Ａ，７６Ｂ：不織布シート、７８：露出部、８０：伸縮部、８２，８２Ａ，８２Ｂ：通気路形成シート、８４，８４Ａ，８４Ｂ，８４Ｃ，８４Ｄ，８４Ｅ：接合部、８６：通気路、８８：折り返し部、９０，９０Ａ，９０Ｂ，９０Ｃ：線状接合部、９２，９２Ａ，９２Ｂ：ドット状接合部、２０１：使い捨ておむつ、２０２：前被包部、２０２ａ，２０２ｂ：側縁、２０２ｃ：ウエスト端縁、２０４：股下被包部、２０６：後被包部、２０６ａ，２０６ｂ：側縁、２０６ｃ：ウエスト端縁、２０７，２０８：接合部、２１０：ウエスト開口部、２１２：レッグ開口部、２１４：吸収性本体、２１５：インナーシート、２１６：外装体、２１７：アウターシート、２４０：レッグ伸縮材、２４２：ウエスト伸縮材、２４４：タミー伸縮材、２６８：押さえシート、２８０：伸縮部、２８２：通気路形成シート、２８４：接合部、２８８：折り返し部、３０１：使い捨ておむつ、３０２：前被包部、３０４：股下被包部、３０６：後被包部、３１１：止着テープ、３１３：フロントパッチ、３１８：トップシート、３１９：サイドシート、３２０：バックシート、３２２：吸収体、３２４：カバーシート、３２６：立体ギャザー、３３２：不織布シート、３３６：立体ギャザー伸縮材、３４０：レッグ伸縮材、３４２：ウエスト伸縮材、３４６：ループ材、３４８：フック材、３５０：基材、３７０：おむつ本体、３７０ａ，３７０ｂ：側縁、３７０ｃ，３７０ｄ：ウエスト端縁、３７２：前サイドフラップ、３７４：後サイドフラップ、３７４ａ，３７４ｂ：側縁、３８３：通気路形成シート、３８５，３８６：接合部、３９１：伸縮材、３９３，３９４：不織布シート、３９５，３９６：伸縮性不織布、３９７，３９８：不織布シート、３９９：伸縮材。
【図１Ａ】
2011122604.tif 000003
【図１Ｂ】
2011122604.tif 000004
【図１Ｃ】
2011122604.tif 000005
【図１Ｄ】
2011122604.tif 000006
【図１Ｅ】
2011122604.tif 000007
【図１Ｆ】
2011122604.tif 000008
【図１Ｇ】
2011122604.tif 000009
【図１Ｈ】
2011122604.tif 000010
【図２Ａ】
2011122604.tif 000011
【図２Ｂ】
2011122604.tif 000012
【図３Ａ】
2011122604.tif 000013
【図３Ｂ】
2011122604.tif 000014
【図３Ｃ】
2011122604.tif 000015
【図４Ａ】
2011122604.tif 000016
【図４Ｂ】
2011122604.tif 000017
【図５Ａ】
2011122604.tif 000018
【図５Ｂ】
2011122604.tif 000019
【図６Ａ】
2011122604.tif 000020
【図６Ｂ】
2011122604.tif 000021
【図６Ｃ】
2011122604.tif 000022
【図６Ｄ】
2011122604.tif 000023
【図６Ｅ】
2011122604.tif 000024
【図７Ａ】
2011122604.tif 000025
【図７Ｂ】
2011122604.tif 000026
【図７Ｃ】
2011122604.tif 000027
【図７Ｄ】
2011122604.tif 000028
【図７Ｅ】
2011122604.tif 000029
【国際調査報告】
2011122604.tif 000030
2011122604.tif 000031
2011122604.tif 000032
2011122604.tif 000033